(57)【要約】【課題】  不慣れな作業者であっても入隅を高い防水性で防水できる入隅の防水手段および防水方法を提供する。【解決手段】  本発明の入隅の防水手段１０は、複数の建築構造材１１，１１が折曲するように接合されて形成された入隅２０を防水する手段であって、入隅２０の折曲部１２の周囲の建築構造材１１，１１に貼着されるゴム製シート１３と、入隅２０の形状に対応する形状に屈曲し、ゴム製シート１３に貼り合わされる可撓性シート１４と、入隅２０の形状に対応する押圧面を有する支持部材１５と、支持部材１５を介してゴム製シート１３を入隅２０に押圧しつつ入隅２０の折曲部１２に固定される固定部材（ビス１６）とを具備する。【選択図】  図１
2005180127.tif 000002
【特許請求の範囲】
【請求項１】
複数の建築構造材が折曲するように接合されて形成された入隅を防水する手段であって、
入隅の折曲部の周囲の建築構造材に貼着されるゴム製シートと、
入隅の形状に対応して屈曲し、ゴム製シートに貼り合わされる可撓性シートと、
入隅の形状に対応する押圧面を有する支持部材と、
支持部材を介してゴム製シートを入隅に押圧しつつ入隅の折曲部に固定される固定部材とを具備することを特徴とする入隅の防水手段。
【請求項２】
複数の建築構造材が折曲するように接合されて形成された入隅を防水する方法であって、
ゴム製シートを入隅の折曲部の周囲の建築構造材に貼着するとともに、ゴム製シートに入隅の形状に対応して屈曲した可撓性シートを貼り合わせ、
入隅の形状に対応する押圧面を有する支持部材を、その押圧面を介して可撓性シートに沿わせ、
固定部材により支持部材を介してゴム製シートを入隅に押圧しつつ、固定部材を入隅の折曲部に固定することを特徴とする入隅の防水方法。
【発明の詳細な説明】
【技術分野】
【０００１】
本発明は、建築構造材から形成される入隅を防水する防水手段および防水方法に関する。
【背景技術】
【０００２】
建築物においては、それを構成する鉄骨や木材や壁などの建築構造材で入隅を形成することがある。ここで、入隅とは、複数の建築構造材が接合することによって形成される内方のかどのことである。例えば、図１０に示すように、建築物の開口５１（玄関、窓等になる部分）において、建築構造材である外壁５２，５２によって入隅５３が形成される。
このような入隅は、施工のばらつきが集まるところであるため、２つの建築構造材の間に隙間が形成されるおそれがある。隙間が形成されていると、そこから雨水や結露水などが侵入してしまうため、通常、入隅には防水処理が施される。
入隅の防水処理としては、例えば、隙間をシール剤でコーキングしたり、隙間にガスケットを挿入したりして塞いだ後、これらを化粧カバーなどで覆い隠したりする方法が提案されている（例えば、特許文献１〜４参照）。
【特許文献１】特開平８−４９３１１号公報
【特許文献２】特開平８−７４３３６号公報
【特許文献３】特開平９−１２９８６号公報
【特許文献４】特開平９−１１８８６１号公報
【発明の開示】
【発明が解決しようとする課題】
【０００３】
ところが、建築物の入隅は、環境変化による伸縮の挙動が異なる外壁同士が接合するところであるため、コーキングで隙間を塞いだ場合には、コーキングが外壁の伸縮挙動に追随できなかった。その結果、環境変化によってコーキングに亀裂が生じるので、長期に亘って防水性を維持することが困難であった。また、隙間の間隔が広いところでは、コーキングの塗布量が不足したりして割れが発生しやすいという問題があった。
また、隙間にガスケットを挿入する方法では、収縮させたガスケットを隙間に挿入し、その復元力で隙間を埋めるが、施工のばらつきが集中する入隅では隙間の間隔もばらつくため、ガスケットで隙間を十分に埋めることが難しかった。また、隙間にガスケットを挿入できないこともあった。
このように、コーキングやガスケットの挿入などの従来の防水処理では十分に入隅を防水できなかった。
【０００４】
そこで、入隅をブチルゴムなどの粘着性を有する防水テープで防水する方法が検討されている。しかしながら、防水テープで入隅を防水する方法では、入隅に防水テープを貼り付ける作業が手作業であり、作業者の「感」に頼った施工であった。そのため、作業者毎に貼り付け具合が異なることがあり、不慣れな作業者の施工では防水性が不十分になることがあった。また、作業者の「感」に頼った施工では、作業方法のマニュアル化が困難であった。
本発明は、前記事情を鑑みてなされたものであり、不慣れな作業者であっても入隅を高い防水性で防水できる入隅の防水手段および防水方法を提供することを目的とする。
【課題を解決するための手段】
【０００５】
本発明の入隅の防水手段は、複数の建築構造材が折曲するように接合されて形成された入隅を防水する手段であって、
入隅の折曲部の周囲の建築構造材に貼着されるゴム製シートと、
入隅の形状に対応して屈曲し、ゴム製シートに貼り合わされる可撓性シートと、
入隅の形状に対応する押圧面を有する支持部材と、
支持部材を介してゴム製シートを入隅に押圧しつつ入隅の折曲部に固定される固定部材とを具備することを特徴とする。
複数の建築構造材が折曲するように接合されて形成された入隅を防水する方法であって、
本発明の入隅の防水方法は、ゴム製シートを入隅の折曲部の周囲の建築構造材に貼着するとともに、ゴム製シートに入隅の形状に対応して屈曲した可撓性シートを貼り合わせ、
入隅の形状に対応する押圧面を有する支持部材を、その押圧面を介して可撓性シートに沿わせ、
固定部材により支持部材を介してゴム製シートを入隅に押圧しつつ、固定部材を入隅の折曲部に固定することを特徴とする。
【発明の効果】
【０００６】
本発明によれば、入隅をなす複数の建築構造材にゴム製シートを均一な力で押圧できる上に、可撓性シートが水の侵入を防ぐので、入隅に対する防水性が高い。また、環境が変化しても外壁の伸縮挙動に追随するようにできるので、長期に亘って防水性を維持できる。さらに、固定部材と支持部材とでゴム製シートを入隅で固定するから、不慣れな作業者が施工した場合に防水性が不十分になることが防止されている。
【発明を実施するための最良の形態】
【０００７】
本発明の入隅の防水手段（以下、防水手段と略す）の実施形態例について説明する。
図１および図２は、本実施形態例の防水手段を示す図である。この防水手段１０は、２つの建築構造材１１，１１が折曲部１２で折曲するように接合されて形成された入隅２０を防水する手段であって、ゴム製シート１３と、可撓性シート１４と、支持部材１５と、固定部材であるビス１６とを具備するものである。なお、本明細書において、ゴム製シート１３と可撓性シート１４とを合わせて防水部材２１ということがある。
【０００８】
ここで、ゴム製シート１３の材質としては、例えば、ブチルゴム、アクリルゴム、ウレタンゴム、水添系のＳＩＳ（スチレン−イソプレン−スチレン共重合体）、水添系のＳＢＳ（スチレン−ブタジエン−スチレン共重合体）などの粘着性を有するものが挙げられる。これらの中でも、ブチルゴムが好ましい。ブチルゴムは、酸、アルカリ、耐水性に優れる上に、低転圧力で建築構造材１１と密着して水密性を確保できる。
【０００９】
また、ゴム製シート１３は、図３に示すように、溝３１，３１・・・が形成されたものである。このようなゴム製シート１３であれば、内部への水の浸入に対しては溝３１，３１・・・間の凸状部が複数の止水線となり、防水性がより高くなる。さらに、ゴム製シート１３に溝３１が形成されていることで、少ない転圧力で対象面へ強固に密着させることができる。また、建築構造材が凹凸を有しても、その凹凸に応じて変形しやすいため、水密性をより高くできる。なお、このゴム製シート１３は、その溝３１の形成方向と入隅の形成方法とが略平行になるように建築構造材に貼着される。
【００１０】
可撓性シート１４は、入隅２０の形状に対応するように直角（９０°）に屈曲している。このような可撓性シート１４は、入隅２０に貼着されたゴム製シート１３と密着できる（図６参照）。また、可撓性シート１４は、ゴム製シート１３を覆う大きさになっている。
ここで、可撓性シート１４とは、可撓性を有し、さらに支持部材１５が接した際に皺が生じない程度の剛性を有するシートのことであり、例えば、ステンレス薄膜、ポリオレフィン系樹脂シートなどが挙げられる。中でも、安価である上に、半透明であるために密着の程度が視認しやすく、軽量であるために取り付け作業が容易な点で、ポリオレフィン系樹脂シートであることが好ましい。ポリオレフィン系樹脂としては、ポリエチレン樹脂、結晶性ポリプロピレン樹脂などが挙げられるが、これらの中でも、耐久性、加工性が高く、直線状にしやすいという点から、結晶性ポリプロピレンが好ましい。
このようなシートに対し、可撓性を有しているものの、剛性が低く、支持部材１５が接した際に皺が生じるシートは可撓性シートとして利用できない。
【００１１】
支持部材１５は、図４に示すように、２つの板部２５，２５の片端同士が直角に交わって稜線部２６が形成されたアルミニウム製の部材である。この支持部材１５の２つの板部２５，２５の外表面は、入隅の形状に対応し、屈曲した可撓性シートに沿う押圧面３２，３２である。
また、この支持部材１５には、稜線部２６を貫通するビス穴２７，２７が形成されている。
また、支持部材１５の押圧面３２には、支持部材１５の長さ方向と平行の凸条２８が設けられている。支持部材１５の押圧面３２に凸条２８が設けられていれば、支持部材１５を防水部材２１に押し付けた際に凸条２８が防水部材２１に食い込む。その結果、防水部材２１がより強い力で入隅をなす建築構造体に押し付けられるので、建築構造体と防水部材との密着性をより高めることができ、より防水性を高くできる。また、凸条２８によって支持部材１５が補強されるので、支持部材１５のたわみを小さくできる。
【００１２】
固定部材であるビス１６は、図２に示すように、支持部材１５のビス穴２７と防水部材２１とを貫通しつつ、その先端が折曲部１２を通って建築構造体１１内にねじ込まれる。そして、ビス１６は、その頭部２９が接触した支持部材１５を介して防水部材２１を入隅２０に押圧しつつ入隅２０の折曲部１２に固定される。
【００１３】
次に、入隅の防水方法について説明する。
まず、図５に示すように、入隅２０における折曲部１２の周囲の建築構造体１１にゴム製シート１３を沿わせる。続いて、図６に示すように、ゴム製シート１３に直角に屈曲した可撓性シート１４を沿わせる。
次いで、図７に示すように、支持部材１５の稜線部２６を折曲部１２に向け、その押圧面３２，３２を直角に屈曲した可撓性シート１４に接触させて、支持部材１５を可撓性シート１４に沿わせる。
次いで、図２に示すように、支持部材１５のビス穴２７と防水部材２１に固定部材であるビス１６を通し、そのビス１６を折曲部１２から建築構造材１１内にねじ込んで固定する。そして、ビス頭部２９が接した支持部材１４の板部２５，２５を介して防水部材２１を入隅２０に押圧する
【００１４】
以上説明した実施形態例の防水手段１０では、折曲部１２周囲の建築構造材１１，１１にゴム製シート１３が貼着され、ゴム製シート１３に直角に屈曲した可撓性シート１４が積層され、可撓性シート１４に支持部材１５の押圧面３２，３２が接している。そして、ビス１６が防水部材２１と支持部材１５のビス穴２７とを貫通し、折曲部１２で固定されている。このような防水手段１０では、ビス１６によって押圧力が付与された支持部材１５が押圧面３２，３２を介して、入隅２０をなす２つの建築構造材１１，１１に防水部材２１を均一な力で押圧するので、ゴム製シート１３が２つの建築構造体１１，１１に均一な力で密着する。したがって、防水部材２１と建築構造体１１との間に隙間が生じにくい。しかも、ゴム製シート１３は弾性力を有するから、これを貫通したビス１６に密着し、隙間が生じることがない。また、可撓性シート１４でも入隅２０への水の侵入を防いでいる。よって、この防水手段１０によれば、防水性を高くできる。
また、本実施形態例では、防水部材２１をビス止めして建築構造体１１に密着させているため、作業者の「感」に頼らないで施工できる上に、作業方法をマニュアル化しやすく、不慣れな作業者が施工した場合に防水性が不十分になることが防止される。
【００１５】
本実施形態例では、複数の防水手段を用いて、建築物の開口に形成された入隅を防水する。複数の防水手段で入隅を防水処理することで、環境が変化しても外壁の伸縮挙動に追随できるので、長期に亘って防水性を維持できる。なお、複数の防水手段を用いる場合には、少なくとも可撓性シート１４の端部同士が重なるようにすることが好ましい。可撓性シート１４の端部同士が重なっていれば、防水部材の隙間がなくなるから、確実に防水できる。
【００１６】
なお、本発明とは異なり、図８に示すように、支持部材１５の各板部２５にビス１６を通し、それらのビス１６先端を建築構造体１１にねじ込んだ場合には、均一な力で２本のビス１６，１６をねじ込むことが困難なため、支持部材１５は２つの建築構造体１１，１１に防水部材２１を均一な力で押圧できない。そのため、押圧力が弱い方にて、防水部材２１と建築構造体１１との間に隙間が生じやすくなり、防水性を確保できない。しかも、建築構造材１１に接近して施工しなければならないから作業性が低い。
しかしながら、本発明では、折曲部１２に固定された１本のビス１６によって支持部材１５に押圧力が付与され、その支持部材１５が押圧面３２，３２を介して建築構造材１１，１１に防水部材２１を均一な力で押圧するので、ゴム製シート１３が２つの建築構造体１１，１１に均一な力で密着する。したがって、防水部材２１と建築構造体１１との間に隙間が生じにくい。しかも、建築構造体１１に接近せずに施工できる。
【００１７】
本発明は、上述した本実施形態例に限定されない。上述した実施形態例では、ゴム製シートの形状は、溝が形成されたものであったが、建築構造材に貼着できるものであれば特に制限はなく、表面が平滑なシートであってもよい。
可撓性シートは、入隅の形状に対応するように直角に屈曲していたが、可撓性シートは撓むから支持部材でゴム製シートに押さえつけた際に直角に屈曲するので、９０°より大きい角度または小さい角度で屈曲したものでもよい。具体的には、角度が１０°〜１３５°で屈曲したものであれば、直角の入隅に対応できる形状のものになる。なお、角度が１３５°を超えた場合には、ゴム製シートとの間に隙間を生じることがあるため防水性を低下させるおそれがある上に、可撓性シートを取り扱っている際に屈曲箇所で折れ曲がってゴム製シートを破損させるおそれがある。
さらに、可撓性シートは、図９に示すように、直角に屈曲した可撓性シートを、さらに、その長さ方向の中間部から直角に屈曲させたもの（可撓性シート３５）であってもよい。このような可撓性シート３５であれば、図１０に示すような、３つの折曲部が交わる箇所５４においても防水部材の密着性を高くできるので、防水性をより高めることができる。
また、上述した実施形態例では、可撓性シート１４とゴム製シート１３とが予め一体化されていないものであったが、予め一体化されたものであってもよい。ただし、予め一体化されず、施工時に順次入隅に取り付ける方が、コストが安価である上に、施工ミスが少なくなるので好ましい。
支持部材１５は、アルミニウム製であったが、アルミニウム以外の金属製または樹脂製であってもよい。ただし、アルミニウムは加工が容易で安価であるという利点を有しているから好ましい。
【実施例】
【００１８】
本実施例は、外壁から形成された入隅を防水処理する例である。なお、この例の入隅には、１〜５ｍｍの隙間が形成されており、入隅を形成する外壁には塗膜が形成されており、その塗膜の凹凸は約１ｍｍ程度である。
本実施例の入隅の防水では、まず、図５に示すように、折曲部１２の周囲の外壁（建築構造材１１，１１）に、外径２ｍｍの複数の円柱体が連続的にその側面同士で繋がった幅２５ｍｍのブチルゴムテープ（ゴム製シート１３）を貼着した。なお、このときには、ブチルゴムテープと外壁との間に隙間があり、水密性は不十分である。
次いで、図６に示すように、このブチルゴムテープ上に、直角に屈曲した厚さ０．４ｍｍの結晶性ポリプロピレンシート（可撓性シート１４）を沿わせた。
次いで、図７に示すように、その結晶性ポリプロピレンシートの上に、直交する２つの板部２５，２５からなるアルミニウム製の支持部材１５の押圧面３２，３２を沿わせた。
次いで、図２に示すように、支持部材１５のビス穴２７にビス１６を通し、そのビス１６を折曲部１２方向にねじ込み、ビス１６を防水部材２１に貫通させて、折曲部１２で固定した。これにより、ビス１６の頭部２９に接した支持部材１５を介して防水部材を入隅２０に固定した。
【００１９】
このような防水方法によって防水した入隅に水をかけて、防水性について調べた。この入隅の防水方法では、支持部材１５によって入隅をなす外壁に防水部材を均一な力で押圧していたので、防水部材が十分に外壁に密着していた。そのため、防水性に優れており、入隅の隙間に水が侵入することはなかった。
【図面の簡単な説明】
【００２０】
【図１】本発明に係る防水手段の実施形態例を示す斜視図である。
【図２】図１のＡ−Ａ’断面図である。
【図３】本発明に係る防水手段の実施形態例のゴム製シートを示す斜視図である。
【図４】本発明に係る防水手段の実施形態例の支持部材を示す斜視図である。
【図５】本発明に係る防水方法の実施形態例の一工程を示す断面図である。
【図６】本発明に係る防水方法の実施形態例の一工程を示す断面図である。
【図７】本発明に係る防水方法の実施形態例の一工程を示す断面図である。
【図８】本発明の範囲外の他の防水手段の例を示す断面図である。
【図９】可撓性シートの他の例を示す斜視図である。
【図１０】入隅を説明する図である。
【符号の説明】
【００２１】
１０  防水手段
１１  建築構造材
１２  折曲部
１３  ゴム製シート
１４  可撓性シート
１５  支持部材
１６  ビス（固定部材）
２０  入隅
２１  防水部材
３２  押圧面
【図１】
2005180127.tif 000003
【図２】
2005180127.tif 000004
【図３】
2005180127.tif 000005
【図４】
2005180127.tif 000006
【図５】
2005180127.tif 000007
【図６】
2005180127.tif 000008
【図７】
2005180127.tif 000009
【図８】
2005180127.tif 000010
【図９】
2005180127.tif 000011
【図１０】
2005180127.tif 000012